(57)【要約】【課題】エスカレータのステップに設けられる駆動ローラの取替作業を容易に行えるようにする駆動ローラ取替作業用具を提供する。【解決手段】エスカレータの駆動ローラ取替作業用具５０は、上部トラス部１２ａ内であってステップ２６の駆動軸３６の端部に回転可能に取り付けられる駆動ローラ３８の取替作業で使用されるものであって、ステップ２６の移動に伴って円弧状の軌跡で通過する駆動ローラの移動経路と、上部トラス部１２ａ内の側壁面１２ｄとの間の隙間ｄに、駆動軸３６の端部に駆動ローラ３８を保持するためのＣリングを保守員Ｍが間接的に視認できるように配置される鏡５２を備えている。【選択図】図４
2009221013.tif 000002
【特許請求の範囲】
【請求項１】
上部トラス部と、下部トラス部と、上部トラス部および下部トラス部間を傾斜した状態で連結する傾斜トラス部とから構成されるトラスのうち上部トラス部または下部トラス部の内部において、ステップの駆動軸の端部に回転可能に取り付けられる駆動ローラの取替作業で使用されるエスカレータの駆動ローラ取替作業用具であって、
ステップの移動に伴って円弧状の軌跡で通過する駆動ローラの移動経路と、上部トラス部または下部トラス部内の側壁面との間の隙間に、駆動軸の端部に駆動ローラを保持するための保持部材を作業者が間接的に視認できるように配置される鏡を備えることを特徴とするエスカレータの駆動ローラ取替作業用具。
【請求項２】
請求項１に記載のエスカレータの駆動ローラ取替作業用具において、
鏡側から駆動ローラを照明する照明装置をさらに備えることを特徴とするエスカレータの駆動ローラ取替作業用具。
【請求項３】
請求項１または２に記載のエスカレータの駆動ローラ取替作業用具において、
上部トラス部または下部トラス部内の側壁面に常設されていることを特徴とするエスカレータの駆動ローラ取替作業用具。
【請求項４】
請求項１または２に記載のエスカレータの駆動ローラ取替作業用具において、
取替作業時に上部トラス部もしくは下部トラス部の底面、または、トラス設置階の床面に置かれる基台と、この基台から延伸して鏡の枠体に連結される支持部材とをさらに含むことを特徴とするエスカレータの駆動ローラ取替作業用具。
【請求項５】
請求項１から４のいずれか１つに記載のエスカレータの駆動ローラ取替作業用具において、
鏡の表面が透明保護フィルムで覆われていることを特徴とするエスカレータの駆動ローラ取替作業用具。
【発明の詳細な説明】
【技術分野】
【０００１】
本発明は、エスカレータの駆動ローラ取替作業用具に係り、特に、エスカレータの駆動ローラの取替作業を容易にするための用具に関する。
【背景技術】
【０００２】
従来、商業施設や駅ホーム等において、上下方向に異なる階床へ移動するために利用される昇降機としてエスカレータが設置されている。エスカレータは、多数のステップが階段状をなしながら上り移動または下り移動することによって、ステップ上に乗っている利用者を上階または下階に移動させることができる。
【０００３】
エスカレータは、下階と上階との間に架設されてエスカレータ自体を支持する金属板製のトラスを備える。トラスの内部には２本の無端状ステップチェーンに両端部がそれぞれ連結された多数のステップが周回状に配置されており、各ステップチェーンが駆動スプロケットによって回転駆動されることによりステップが移動するようになっている。
【０００４】
また、各ステップには、ステップ幅方向に貫通して設けられる駆動軸の両端部に２つの駆動ローラが回転可能に取り付けられている。この駆動ローラは、駆動軸に連結されるステップチェーンの牽引力によるステップの移動に伴って、トラスに設置されるガイドレールに接触してガイドされながら回転するようになっている。また、各ステップには、ステップ自体の幅方向両端に２つの追従ローラが回転可能に取り付けられている。この追従ローラは、上記駆動ローラ用ガイドレールとは別にトラス内に設けられたガイドレールに接触してガイドされながら回転するようになっている。
【０００５】
駆動ローラおよび追従ローラは、外周部が例えばウレタンゴム等からなる弾性リングで構成されている。この弾性リングは、エスカレータの長時間作動によってガイドレールとの接触により磨耗したり、あるいは、経時的劣化等に起因して破断または切断したりする消耗品であるため、エスカレータが建物に設置された後にエスカレータ保守員によるローラ取替作業が必要になってくる。
【０００６】
ここで、特許文献１には、例えばエスカレータ用移動手摺りの駆動手段として用いられるスプロケット歯車に掛けられたチェーンを取り替えるための冶具、特に、スプロケット歯車からチェーンを取り外して新規チェーンに取り替える際のチェーン脱落を防止し、短時間で取替作業を行えるチェーン取替え用冶具が開示されている。
【０００７】
【特許文献１】特開２００２−３９３０１号公報
【発明の開示】
【発明が解決しようとする課題】
【０００８】
しかしながら、上記特許文献１に記載の冶具は、エスカレータに用いられる手摺り駆動用チェーンの取替作業を容易にするものであって、エスカレータのローラ取替作業に利用することはできない。
【０００９】
エスカレータのステップに回転可能に軸支されて取り付けられている駆動ローラおよび従動ローラは、軸の端部から抜け出ないように保持部材である例えばＣリングを用いて軸端部に保持されている。したがって、ローラ取替作業時には、まず、Ｃリングを取り外す必要がある。
【００１０】
エスカレータにおける上記ローラ取替作業は、トラスのうち下階の床に設置される下部トラス部または上階の床に設置される上部トラス部の内部で行われるが、従動ローラはステップ側面の近傍に取り付けられていてトラス内壁面との間に比較的距離があるため、取替作業を行う保守員は従動ローラの側面およびこれを保持するＣリングを直視することができ、Ｃリングプライヤを用いてＣリングの取り外しを容易に行える。
【００１１】
これに対し、駆動ローラは、ステップ側面から横方向に大きく突出した駆動軸の端部に取り付けられているため、駆動ローラとトラス内壁面との間の距離が約１５ｃｍ程度しかないことがある。この場合、保守員は、トラス内壁面が障害になって駆動ローラ保持用Ｃリングを直視できない状態になる。このような状況下では、保守員は、Ｃリング両端の２つの穴にＣリングプライヤの２本の先端を勘や手探りで挿入しなければならず、駆動ローラの取替作業に熟練や時間を要する原因になっていた。特に、数十段あるステップに２つずつある全ての駆動ローラを総取替えするような場合には、多大な時間および労力を要することになる。
【００１２】
本発明の目的は、エスカレータのステップに設けられる駆動ローラの取替作業を容易に行えるようにするエスカレータの駆動ローラ取替作業用具を提供することにある。
【課題を解決するための手段】
【００１３】
本発明は、上部トラス部と、下部トラス部と、上部トラス部および下部トラス部間を傾斜した状態で連結する傾斜トラス部とから構成されるトラスのうち上部トラス部または下部トラス部の内部において、ステップの駆動軸の端部に回転可能に取り付けられる駆動ローラの取替作業で使用されるエスカレータの駆動ローラ取替作業用具であって、ステップの移動に伴って円弧状の軌跡で通過する駆動ローラの移動経路と、上部トラス部または下部トラス部内の側壁面との間の隙間に、駆動軸の端部に駆動ローラを保持するための保持部材を作業者が間接的に視認できるように配置される鏡を備えることを特徴とする。
【００１４】
本発明に係るエスカレータの駆動ローラ取替作業用具は、鏡側から駆動ローラを照明する照明装置をさらに備えてもよい。
【００１５】
また、本発明に係るエスカレータの駆動ローラ取替作業用具は、上部トラス部または下部トラス部内の側壁面に常設されていてもよい。
【００１６】
また、本発明に係るエスカレータの駆動ローラ取替作業用具は、取替作業時に上部トラス部もしくは下部トラス部の底面、または、トラス設置階の床面に置かれる基台と、この基台から延伸して鏡の枠体に連結される支持部材とをさらに含んでもよい。
【００１７】
さらに、本発明に係るエスカレータの駆動ローラ取替作業用具は、鏡の表面が透明保護フィルムで覆われていてもよい。
【発明の効果】
【００１８】
本発明に係るエスカレータの駆動ローラ取替作業用具によれば、駆動ローラの移動経路と上部トラス部または下部トラス部内の側壁面との間の隙間に、駆動軸の端部に駆動ローラを保持するための保持部材を作業者が間接的に視認できるように配置される鏡を備えていることで、作業者は勘や手探りに頼ることなく鏡を介して間接的に視認しながら適当な工具で保持部材を容易に取り外すことができ、駆動ローラの取替作業を迅速かつ容易に行うことができる。
【００１９】
また、鏡側から駆動ローラを照明する照明装置をさらに設ければ、駆動ローラとトラス内壁面との間の狭い隙間からなる作業領域が明るく照明されることで上記取替作業をより効率よく行える。
【発明を実施するための最良の形態】
【００２０】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００２１】
図１は、本発明の一実施形態であるエスカレータの駆動ローラ取替作業用具が適用されるエスカレータ装置１０の概略構成図である。エスカレータ装置１０は、装置自体を下方から支持する例えば金属板製のトラス１２と、トラス１２上部に設けられる移動手摺り部１４および欄干部１６とを備える。
【００２２】
トラス１２は、上階の床１８に設置される上部トラス部１２ａ、下階の床２０に設置される下部トラス部１２ｂ、および上部トラス部１２ａと下部トラス部１２ｂとの間を傾斜した状態で連結する傾斜トラス部１２ｃを含んで構成される。取り外し可能なランディングプレート１３で覆われている上部トラス部１２ａ内には、モータおよび減速機等を含む駆動ユニット（図示せず）や、駆動ユニットによって回動駆動される駆動スプロケット２２が配置されている。一方、下部トラス部１２ｂ内には、従動スプロケット２４が配置されている。
【００２３】
なお、図１に示すエスカレータ装置１０の下部トラス部１２ｂは、設置建物の都合により点線１１で示す通常のものよりも水平方向長さが短い短縮下部トラス部として例示されている。この短縮下部トラス部の場合、内部にエスカレータ管理会社の保守員（作業員）が入って作業できる空間がほとんど無いため、この場合には後述するように上部トラス部１２ａ内で駆動ローラ取替等の作業が行われることになる。
【００２４】
トラス１２内には、多数のステップ２６が設けられている。後に詳述するように各ステップ２６の幅方向両端部には、駆動スプロケット２２と従動スプロケット２４とに掛け渡された無端状のステップチェーン２８が固定されている。これにより、駆動ユニットによって駆動スプロケット２２が回転駆動されることによって、各ステップ２６は階段状をなしながら下階と上階との間を上り移動または下り移動するようになっている。
【００２５】
図２は、１つのステップ２６を示す斜視図である。ステップ２６は、利用者が立って乗る踏板２９と、踏板２９の縁部に連結され、ステップ２６が階段状をなしたときの段部に相等するライザ３０と、ステップ２６の幅方向両側において踏板２９およびライザ３０にそれぞれ連結される、三角状開口部を含む連結部材３２とを有する。
【００２６】
ステップ２６において、ライザ３０の両側下部には、外周部がウレタンゴム等の弾性リング部からなる追従ローラ３４が回転可能に取り付けられている。また、ステップ２６において踏板２９の下方には、駆動軸３６が連結部材３２を貫通して固定されており、この駆動軸３６の両端部がステップ２６の側面からそれぞれ大きく突出している。そして、駆動軸３６には、ステップ２６の両側においてステップチェーン２８が連結されるとともに、両端部に駆動ローラ３８が回転可能に取り付けられている。図３に示すように、駆動ローラ３８は、外周部がウレタンゴム等の弾性リング部４０を有している。また、駆動ローラ３８は、駆動軸３６に形成された環状溝３７に嵌め込まれた保持部材としてのＣリング４２によって、駆動軸３６の端部から抜け出ないように保持されている。
【００２７】
なお、本実施形態では、駆動ローラ３８の保持部材としてＣリング４２を用いているが、この保持部材は他の形状のリング部材であってもよいし、回転可能になっている限りにおいてボルトやナット等の締結部材であってもよい。
【００２８】
追従ローラ３４および駆動ローラ３８は、それぞれ個別のガイドレール（図示せず）と接触しつつガイドされて、ステップ２６の移動に伴って回転しながら移動する。ただし、駆動ローラ用ガイドレールは、ステップチェーン２８が駆動スプロケット２２に至る手前辺りで途切れている。そのため、上部トラス部１２ａ内において駆動ローラ３８は、駆動スプロケット２２の外周にほぼ沿った円弧状の軌跡で通過する移動経路に沿って露出した状態で移動することになる。このことは、下部トラス部１２ｂ内においても同様である。
【００２９】
図４は、ランディングプレート１３を取り外した状態で上部トラス部１２ａを上方から見た様子を示す。エスカレータ装置１０の保守点検等の作業を行うエスカレータ管理会社の保守員Ｍは、上部トラス部１２ａ内に入り込んで作業を行うことになる。この場合、上述したように駆動ローラ３８は、ステップ２６の側面から大きく突出した駆動軸３６の端部に取り付けられているために、駆動ローラ３８と上部トラス部１２ａの側壁面１２ｄとの間の隙間ｄは約１５ｃｍ程度しかなく、保守員Ｍは駆動ローラ３８を保持するＣリング４２を直視できない状態にある。また、このように狭い隙間ｄは、上部トラス部１２ａが設置されている上階の天井照明が上階の床１８や駆動スプロケット２２で遮られて影になるために薄暗いことが多い。
【００３０】
駆動ローラ３８のウレタンゴム製の弾性リング部４０は、エスカレータ装置１０の長時間作動によってガイドレールとの接触により磨耗したり、あるいは、経時的劣化等に起因して破断または切断したりする消耗品であるため、保守員Ｍによる駆動ローラ３８の取替作業が必要になってくる。しかし、保守員Ｍは、駆動ローラ保持用Ｃリング４２を直視できないため、Ｃリング４２両端の２つの穴にＣリングプライヤＰの２本の先端を勘や手探りで挿入しなければならず、駆動ローラ３８の取替作業に熟練や時間を要する原因になっていた。特に、数十段あるステップ２６に２つずつある全ての駆動ローラ３８を総取替えするような場合には、多大な時間および労力を要することになる。
【００３１】
そこで、上記エスカレータ装置１０では、円弧状の軌跡を描く駆動ローラ３８の移動経路と、上部トラス部１２ａの内壁面１２ｄとの間の隙間ｄに、駆動ローラ取替作業用具５０が設置されている。この駆動ローラ取替作業用具５０は、側壁面１２ｄに対して固定されて常設されていてもよいし、あるいは、フック等で引っ掛けることによって作業時にだけ設置されてもよい。
【００３２】
図４に示すように、駆動ローラ取替作業用具５０は、鏡５２を含んでいる。鏡５２は、保守員Ｍが駆動ローラ３８の抜け留め部材であるＣリング４２を間接的に視認可能に配置される。また、鏡５２の上部または上方には、鏡５２側から駆動ローラ３８を照明するための照明装置５４が一体または別体に設けられている。照明装置５４としては、乾電池式のライトが好適に用いられることができ、その上部にある押ボタン式スイッチ５６を押すことによって照明の点灯・消灯が可能になっている。
【００３３】
このように、駆動ローラ取替作業用具５０を設置することで、保守員Ｍは、勘や手探りに頼ることなく鏡５２を介して間接的に視認しながらＣリングプライヤＰでＣリング４２を駆動軸３６から容易に取り外すことができ、駆動ローラ３８の取替作業を迅速かつ容易に行うことができる。
【００３４】
また、一方の手にＣリングプライヤＰを持つとともに他方の手で鏡を持って取替作業を行おうとすると、不自然な体勢を採らなくてはならず、かつ両手がふさがるために作業効率が悪くなるが、駆動ローラ取替作業用具５０が設置されていることで駆動ローラ３８の取替作業をより一層行い易くなる。
【００３５】
さらに、鏡５２側から駆動ローラ３８を照明する照明装置５４が設けられていることで、駆動ローラ３８と上部トラス部１２ａ内の側壁面１２ｄとの間の狭い隙間ｄからなる作業領域が明るく照明されることによって上記取替作業をより効率よく行える。
【００３６】
なお、駆動ローラ取替作業用具５０を構成する鏡５２の鏡面側を樹脂等からなる透明保護フィルムで覆うようにしてもよい。これにより、駆動ローラ３８の取替作業中にＣリングプライヤＰ等が当たって鏡５２が割れてしまう危険性を低減できる。
【００３７】
また、上記においては、駆動ローラ取替作業用具５０が鏡５２と照明装置５４とから構成されるものとして説明したが、これに限定されるものではなく、図６,７に示すように、取替作業時に上部トラス部１２ａの底面１２ｅ、または、トラス設置階である上階の床面１８に置かれる基台５８と、この基台５８から延伸して鏡５２を保持する枠体６０に連結される棒状またはリンク状の支持部材６２とをさらに含んで構成されてもよい。この場合、支持部材６２は、湾曲または折曲可能であることが好ましく、伸縮可能であればなお良い。
【００３８】
さらに、上記においては、下部トラス部１２ｂが短縮トラスであるために駆動ローラ３８の取替作業を上部トラス部１２ａ内で行うものとして説明したが、下部トラス部１２ｂが通常長さのトラス１２であれば下部トラス部１２ｂ内に駆動ローラ取替作業用具５０を設置して駆動ローラ３８の取替作業を行うことができる。
【図面の簡単な説明】
【００３９】
【図１】本発明の一実施形態である駆動ローラ取替作業用具が適用されるエスカレータ装置の概略構成図である。
【図２】１つのステップの斜視図である。
【図３】ステップに取り付けられる駆動ローラの側面図である。
【図４】ランディングプレートを取り外した状態で上部トラス部を上方から見た様子を示す図である。
【図５】本発明の一実施形態である駆動ローラ取替作業用具を示す斜視図である。
【図６】駆動ローラ取替作業用具を上部トラス部の底面に設置した様子を示す図である。
【図７】駆動ローラ取替作業用具を上部トラス部が設置される上階の床面に設置した様子を示す図である。
【符号の説明】
【００４０】
１０  エスカレータ装置、１２  トラス、１２ａ  上部トラス部、１２ｂ  下部トラス部、１２ｃ  傾斜トラス部、１２ｄ  側壁面、１２ｅ  底面、１３  ランディングプレート、１４  移動手摺り部、１６  欄干部、１８  上階の床、２０  下階の床、２２  駆動スプロケット、２４  従動スプロケット、２６  ステップ、２８  ステップチェーン、２９  踏板、３０  ライザ、３２  連結部材、３４  追従ローラ、３６  駆動軸、３７  環状溝、３８  駆動ローラ、４０  弾性リング部、４２  Ｃリング、５０  駆動ローラ取替作業用具、５２  鏡、５４  照明装置、５６  押ボタン式スイッチ、５８  基台、６０  枠体、６２  支持部材、ｄ  隙間、Ｍ  保守員、Ｐ  Ｃリングプライヤ。
【図１】
2009221013.tif 000003
【図２】
2009221013.tif 000004
【図３】
2009221013.tif 000005
【図４】
2009221013.tif 000006
【図５】
2009221013.tif 000007
【図６】
2009221013.tif 000008
【図７】
2009221013.tif 000009